(57)【要約】【課題】チェーンソーによる事故から足を防護することができる伐採作業用履物を提供する。【解決手段】本発明の伐採作業用履物は、アッパー１０が、該アッパー１０の表面を形成する甲材１１と、引張強度が２０ｃＮ／ｄｔｅｘ以上を有する合成繊維からなる編み物を複数枚重ね合わせてなり、前記甲材１１の内面に沿って設けられる積層部材１２とを具備して構成される。従って、積層部材１２の働きにより、チェーンソーによる事故から足を防護することが可能である。【選択図】図２
2004305703.tif 000002
【特許請求の範囲】
【請求項１】
ソール及びアッパーを有して構成される伐採作業用履物であって、前記アッパーが、該アッパーの表面を形成する甲材と、引張強度が２０ｃＮ／ｄｔｅｘ以上を有する合成繊維からなる編み物を複数枚重ね合わせてなり、前記甲材の内面に沿って設けられる積層部材とを具備して構成されていることを特徴とする伐採作業用履物。
【請求項２】
前記積層部材が、前記甲材の内面に接する第１の層と、該第１の層よりも厚さの薄い第２の層と、前記第１の層よりも厚さの厚い第３の層とを順次積層した３層構造を有することを特徴とする請求項１に記載の伐採作業用履物。
【請求項３】
ソール及びアッパーを有して構成される伐採作業用履物であって、前記アッパーの表面を形成する甲材を覆うスパッツを具備して構成されると共に、前記スパッツ内には、引張強度が２０ｃＮ／ｄｔｅｘ以上を有する合成繊維からなる編み物を複数枚重ね合わせてなる積層部材が設けられていることを特徴とする伐採作業用履物。
【請求項４】
前記積層部材が、前記スパッツの表面材の内面に接する第１の層と、該第１の層よりも厚さの薄い第２の層と、前記第１の層よりも厚さの厚い第３の層とを順次積層した３層構造を有することを特徴とする請求項３に記載の伐採作業用履物。
【請求項５】
ソール及びアッパーを有して構成される伐採作業用履物に対し、前記アッパーの表面を形成する甲材を覆うように装着されるスパッツであって、その内部に、引張強度が２０ｃＮ／ｄｔｅｘ以上を有する合成繊維からなる編み物を複数枚重ね合わせてなる積層部材が設けられていることを特徴とするスパッツ。
【請求項６】
前記積層部材が、表面材の内面に接する第１の層と、該第１の層よりも厚さの薄い第２の層と、前記第１の層よりも厚さの厚い第３の層とを順次積層した３層構造を有することを特徴とする請求項５に記載のスパッツ。
【発明の詳細な説明】
【技術分野】
【０００１】
本発明は、伐採作業時におけるチェーンソーによる作業者の足の切創ないし切断事故の発生を防ぐため、足に装着される伐採作業用履物及びスパッツに関するものである。
【背景技術】
【０００２】
従来、伐採作業に用いられる履物としては、地下足袋や爪先に金属製の保護カバーが設けられた作業靴などが知られており、作業性を高めるため、柔軟性を有し、軽量であることが要求されている。
【０００３】
しかしながら、従来の履物では、柔軟性と軽量化を満足するため、伐採作業に用いられるものであっても、アッパーが一般の地下足袋や作業靴と同様の素材・構造からなるものであったため、チェーンソーのガイドバー周囲を走行するチェーンが誤ってアッパーに接触した場合には、該チェーンが瞬時にアッパーを切り裂いて足に傷を負わせたり、場合によっては足を切断してしまう事故が発生し易いものとなっていた。
【発明の開示】
【発明が解決しようとする課題】
【０００４】
本発明が解決しようとする課題は、柔軟かつ軽量でありながらチェーンソーによる事故から足を防護することができる伐採作業用履物及びスパッツを提供することである。
【課題を解決するための手段】
【０００５】
本発明は、上記課題を解決するため、以下の伐採作業用履物及びスパッツを提供する。
(1)   ソール及びアッパーを有して構成される伐採作業用履物であって、前記アッパーが、該アッパーの表面を形成する甲材と、引張強度が２０ｃＮ／ｄｔｅｘ以上を有する合成繊維からなる編み物を複数枚重ね合わせてなり、前記甲材の内面に沿って設けられる積層部材とを具備して構成されていることを特徴とする伐採作業用履物。
(2)   前記積層部材が、前記甲材の内面に接する第１の層と、該第１の層よりも厚さの薄い第２の層と、前記第１の層よりも厚さの厚い第３の層とを順次積層した３層構造を有することを特徴とする前記(1)に記載の伐採作業用履物。
(3)   ソール及びアッパーを有して構成される伐採作業用履物であって、前記アッパーの表面を形成する甲材を覆うスパッツを具備して構成されると共に、前記スパッツ内には、引張強度が２０ｃＮ／ｄｔｅｘ以上を有する合成繊維からなる編み物を複数枚重ね合わせてなる積層部材が設けられていることを特徴とする伐採作業用履物。
(4)   前記積層部材が、前記スパッツの表面材の内面に接する第１の層と、該第１の層よりも厚さの薄い第２の層と、前記第１の層よりも厚さの厚い第３の層とを順次積層した３層構造を有することを特徴とする前記(3)に記載の伐採作業用履物。
(5)   ソール及びアッパーを有して構成される伐採作業用履物に対し、前記アッパーの表面を形成する甲材を覆うように装着されるスパッツであって、その内部に、引張強度が２０ｃＮ／ｄｔｅｘ以上を有する合成繊維からなる編み物を複数枚重ね合わせてなる積層部材が設けられていることを特徴とするスパッツ。
(6)   前記積層部材が、表面材の内面に接する第１の層と、該第１の層よりも厚さの薄い第２の層と、前記第１の層よりも厚さの厚い第３の層とを順次積層した３層構造を有することを特徴とする前記(5)に記載のスパッツ。
【発明の効果】
【０００６】
前記(1)に記載の本発明によれば、チェーンソーのガイドバー周囲を走行するチェーンが誤ってアッパーに接触して甲材を切り裂いても、引張強度が２０ｃＮ／ｄｔｅｘ以上を有する合成繊維からなる編み物を複数枚重ね合わせてなる積層部材が甲材の内面に沿って設けられているため、該積層部材によりチェーンの回転エネルギーを吸収して、チェーンが足に接触する前に、チェーンの走行を停止させることができる。また、積層部材は合成繊維からなる編み物を重ね合わせたものであるため、柔軟かつ軽量で、快適な履き心地の伐採作業用履物を提供することができる。
前記(2)に記載の本発明によれば、チェーンソーのガイドバー周囲を走行するチェーンが誤ってアッパーに接触して甲材を切り裂いても、前記積層部材が、前記甲材の内面に接する第１の層と、該第１の層よりも厚さの薄い第２の層と、前記第１の層よりも厚さの厚い第３の層とを順次積層した３層構造を有するため、該積層部材によりチェーンの回転エネルギーをより効果的に吸収して、チェーンが足に接触する前に、チェーンの走行を停止させることができる。すなわち、引張強度が２０ｃＮ／ｄｔｅｘ以上を有する合成繊維からなる編み物は、概して切断され難い性質を有するが、チェーンソーに対しては、その厚さが厚くなる程伸縮性が低下するため、相対的にチェーンの回転エネルギーを吸収する力が低下して切断され易くなる。そこで、本発明では、第１の層と第３の層との間に、第１の層よりも厚さの薄い第２の層を設け、この第２の層により、第１の層で吸収しきれなかったチェーンの回転エネルギーを大幅に吸収できるように構成した。また、第３の層として、第１の層よりも厚さの厚いものを用いることにより、本来的に切断され難い性質を利用して、第２の層の働きにより減衰したチェーンの回転エネルギーをさらに吸収して、チェーンの走行を停止させることを可能にした。
前記(3)に記載の本発明によれば、チェーンソーのガイドバー周囲を走行するチェーンが誤ってスパッツに接触してその表面材を切り裂いても、引張強度が２０ｃＮ／ｄｔｅｘ以上を有する合成繊維からなる編み物を複数枚重ね合わせてなる積層部材がスパッツ内設けられているため、該積層部材によりチェーンの回転エネルギーを吸収して、チェーンがアッパーの表面を形成する甲材ないしは足に接触する前に、チェーンの走行を停止させることができる。また、積層部材は合成繊維からなる編み物を重ね合わせたものであるため、柔軟かつ軽量で、快適な履き心地の伐採作業用履物を提供することができる。さらに、積層部材をスパッツ内に設けたことにより、積層部材を構成する布の面積及び繊維量を増大させることができるため、より確実にチェーンの走行を強制的に停止させることができる。
前記(4)に記載の本発明によれば、チェーンソーのガイドバー周囲を走行するチェーンが誤ってスパッツに接触してその表面材を切り裂いても、前記積層部材が、前記表面材の内面に接する第１の層と、該第１の層よりも厚さの薄い第２の層と、前記第１の層よりも厚さの厚い第３の層とを順次積層した３層構造を有するため、該積層部材によりチェーンの回転エネルギーをより効果的に吸収して、チェーンがアッパーの表面を形成する甲材ないしは足に接触する前に、チェーンの走行を停止させることができる。
前記(5)に記載の本発明によれば、その内部に、引張強度が２０ｃＮ／ｄｔｅｘ以上を有する合成繊維からなる編み物を複数枚重ね合わせてなる積層部材が設けられているため、チェーンソーのガイドバー周囲を走行するチェーンが誤って接触しても、積層部材によりチェーンの回転エネルギーを吸収して、チェーンの走行を強制的に停止させることが可能である。
前記(6)に記載の本発明によれば、積層部材が、表面材の内面に接する第１の層と、該第１の層よりも厚さの薄い第２の層と、前記第１の層よりも厚さの厚い第３の層とを順次積層した３層構造を有するため、該積層部材によりチェーンの回転エネルギーをより効果的に吸収して、チェーンの走行を強制的に停止させることが可能である。
【発明を実施するための最良の形態】
【０００７】
以下、本発明の実施の形態を図面に基づいて詳しく説明する。
【実施例１】
【０００８】
図１は、本発明の伐採作業用履物（以下「履物」という。）の一実施例を示す図であり、（ａ）は斜視図、（ｂ）は（ａ）のＡ−Ａ部断面図である。また、図２は、図１（ｂ）のＢ部拡大断面図である。本実施例に係る履物は、これらの図に示したように、地下足袋として構成されたものである。
【０００９】
本発明の履物は、履物の底を形成するソール２０と、履物の甲部で、ソール２０を除く上部のすべてを構成するアッパー１０とを有して構成される。本実施例において、ソール２０は、図１（ｂ）に示したように、表底２１と中底２２とを有して構成される。なお、ソール２０の構造は、上記構造のものに限定されるものではなく、従来公知の構造のものを採用することができる。
【００１０】
アッパー１０は、その表面を形成する甲材１１と、該甲材１１の内面に沿って設けられる積層部材１２を有して構成される。また、本実施例では、図１（ｂ）及び図２に示したように、積層部材１２の内側にさらに裏材１３が設けられている。甲材１１及び裏材１３は、公知の地下足袋と同様に、例えば、綿等の天然繊維からなる織布などから形成される。
【００１１】
積層部材１２は、引張強度が２０ｃＮ／ｄｔｅｘ以上を有する合成繊維からなる編み物（以下、単に「編み物」という。）を複数枚重ね合わせて構成される。かかる編み物を形成する引張強度が２０ｃＮ／ｄｔｅｘ以上を有する合成繊維としては、パラ系アラミド繊維などが典型例として挙げられる。そして、このような高強度繊維は、例えば、帝人株式会社から「テクノーラ（登録商標）」という商標が付され市販されており、入手可能である。
【００１２】
積層部材１２は、上記のように積層構造を有するが、重ね合わされる編み物の枚数は限定されるものではない。もっとも、積層部材１２を構成する編み物の枚数が多い程チェーンソーのチェーンの走行を停止させる確実性が高められる。しかしながら、実際上、編み物の枚数を多くすると、その分アッパー１０の肉厚も厚くなって柔軟性が低下したり、材料コストを含む製造コストが高くつくという問題が生じる。
【００１３】
そこで、積層部材１２としては、図２に示したように、甲材１１の内面に接する第１の層１２ａを形成する編み物と、該第１の層１２ａよりも厚さの薄い第２の層１２ｂを形成する編み物と、第１の層１２ａよりも厚さの厚い第３の層１２ｃを形成する編み物とを順次積層した３層構造を有するものを採用することが好ましい。
【００１４】
なお、伐採作業に用いる履物としての機能や製造コスト等の観点から許容される範囲で、さらに編み物を重ね合わせて、積層部材１２を４層以上の多層構造としても良いことは上述の通りである。
【００１５】
本実施例における積層部材１２によれば、第２の層１２ｂを形成する編み物が最も伸縮性を有し、次に第１の層１２ａを形成する編み物が伸縮性を有する。編み物に伸縮性があると、チェーンソーのチェーンが接触した際に、編み物を構成する繊維（引っ張り強度が２０ｃＮ／ｄｔｅｘ以上の高強度繊維）が伸長して、直ちに切断されることがなく、チェーンの回転エネルギーを吸収する作用を発揮する。もっとも、編み物の厚さが薄すぎると、伸縮性があっても、チェーンの切断力に負けて切断されてしまう。そこで、まず、第１の層１２ａを形成する編み物にある程度の厚みを持たせて、その厚みと伸縮性によりチェーンの回転エネルギーを吸収できるようにした。この第１の層１２ａを形成する編み物により、チェーンの回転エネルギーは減衰される。しかし、伐採用のチェーンソーはチェーン速度が速いため、第１の層１２ａを形成する編み物を切断して第２の層１２ｂを形成する編み物に接触する。
【００１６】
第２の層１２ｂを形成する編み物は、上記のように第１の層１２ａを形成する編み物よりも厚さは薄いが、高度の伸縮性を有するので、その編み物を構成する繊維が直ちに切断されることなく伸長して、第１の層１２ａを形成する編み物では吸収しきれなかったチェーンの回転エネルギーを大幅に吸収することができる。従って、この第２の層１２ｂを形成する編み物によってチェーンの回転エネルギーは全部吸収されるか又は大幅に減衰される。
【００１７】
第２の層１２ｂを形成する編み物によってもチェーンの走行が停止しない場合、チェーンは第２の層１２ｂを形成する編み物を切断して第３の層１２ｃを形成する編み物に接触する。第３の層１２ｃを形成する編み物は、最も伸縮性を有しないものであるが、その分、第１及び第２の層１２ａ，１２ｂを形成する編み物よりも厚さを有するため、その編み物を構成する繊維の切断され難い性質を利用して、第１及び第２の層１２ａ，１２ｂを形成する編み物の働きにより大幅に減衰したチェーンの回転エネルギーの残りを、完全に切断される前に、全て吸収することができる。従って、かかる積層部材１２によれば、チェーンが足に接触する前に、チェーンの走行を強制的に停止させることができる。
【００１８】
第１乃至第３の層１２ａ〜１２ｃを形成する編み物の好ましい厚さとしては、第１の層１２ａを形成する編み物が１．２ｍｍ以上１．５ｍｍ未満、第２の層１２ｂを形成する編み物が０．７ｍｍ以上１．２ｍｍ未満、第３の層１２ｃを形成する編み物が１．５ｍｍ以上２．０ｍｍ未満である。
【００１９】
積層部材１２の上記した作用は、以下の実験により確認された。すなわち、この実験は、チェーンソーのチェーン速度を２０ｍ／ｓに設定して行われた。実験対象は、上記した３層構造の積層部材１２を甲材１１に糸で縫い付けたものを用いた。ここで積層部材１２を構成する各編み物の厚さは、第１の層１２ａを形成するものが１．２４ｍｍ、第２の層１２ｂを形成するものが１．１１ｍｍ、第３の層１２ｃを形成するものが１．８３ｍｍであった。
【００２０】
実験の結果は、次の通りである。
チェーンソーのチェーンが甲材１１を切り裂いて積層部材１２に接触すると、該チェーンは、減速しながら積層部材１２の第１及び第２の層１２ａ，１２ｂを形成する編み物を順次切断していき、第３の層１２ｃを形成する編み物に接触したところでその走行を停止した。第３の層１２ｃを形成する編み物は、表面側に切り裂かれた痕跡があるものの切断されることはなかった。
以上の結果から、積層部材１２の上記作用により、チェーンが足に接触する前に、チェーンの走行を強制的に停止させることが可能であることが確認された。
【実施例２】
【００２１】
図３は、本発明の履物の他の実施例を示す斜視図である。本実施例に係る履物は、この図に示したように、アッパー１０の開口部１０ａが足の踝よりも高い位置に存するブーツ型の靴である。
【００２２】
本実施例において、ソール２０は、図４に示したように、表底２１と中底２２との間に、中物２３及びシャンク２４が配設された構造を有する。なお、ソール２０の構造は上記構造のものに限定されるものではなく、従来公知の構造のものを採用することができる。
【００２３】
アッパー１０は、上記実施例１と同様に、甲材１１、積層部材１２及び裏材１３を有して構成される。本実施例における甲材１１は、さらに皮革製の本体部１１ａと、本体部１１ａよりも柔軟な皮革からなる舌革１１ｂと、舌革１１ｂを跨ぐように配設されるベルト１１ｃとを有して構成される。
【００２４】
本体部１１ａの素材は限定されるものではないが、牛革を用いることが好ましく、その中でも特に銀付き革を用いることが好ましい。銀付き革からなる本体部１１ａによれば、チェーンソーのチェーンがその表面に接触した際に滑りを生じて、切れ難くなるからである。舌革１１ｂは、履物の足への脱着を容易とするため、弛みを持たせて設けられている。
【００２５】
そして、履物を足に装着する際には、ベルト１１ｃにより締め付けることにより、履物を足にフィットさせることができるようになっている。なお、ベルト１１ｃは、図示しない一対の面ファスナーを用いて締め付け又は取り外しができるようになっている。
【００２６】
積層部材１２は、上記実施例１と同様に、甲材１１の内面に接する第１の層１２ａを形成する編み物と、該第１の層１２ａよりも厚さの薄い第２の層１２ｂを形成する編み物と、第１の層１２ａよりも厚さの厚い第３の層１２ｃを形成する編み物とを順次積層した３層構造を有する（図５参照）。かかる第１乃至第３の層１２ａ〜１２ｃを形成する編み物も、引張強度が２０ｃＮ／ｄｔｅｘ以上を有する合成繊維からなる。
【００２７】
裏材１３としては、皮革、布など、種々の素材からなるものを採用することができる。また、本実施例において、アッパー１０は、図４に示したように、さらに爪先側に金属製の先芯１４を、踵側に月型芯１５をそれぞれ備えて構成される。
【００２８】
上記のように構成される本実施例に係る履物によっても、積層部材１２の上記作用により、チェーンソーのチェーンが足に接触する前に、チェーンの走行を強制的に停止させることが可能である。
【実施例３】
【００２９】
図６は、本発明の履物のさらに他の実施例を示す斜視図である。本実施例に係る履物は、この図に示したように、アッパー１０の表面を形成する甲材１１を覆うスパッツ３０を有して構成される。
【００３０】
スパッツ３０は、その内部に、積層部材３３を有して構成される。具体的には、積層部材３３は、図８に示したように、スパッツ３０の表面材３１と内面材３２との間に設けられ、表面材３１の内面に接する第１の層３３ａを形成する編み物と、該第１の層３３ａよりも厚さの薄い第２の層３３ｂを形成する編み物と、第１の層３３ａよりも厚さの厚い第３の層３３ｃを形成する編み物とを順次積層した３層構造を有する。かかる第１乃至第３の層３３ａ〜３３ｃを形成する編み物も、引張強度が２０ｃＮ／ｄｔｅｘ以上を有する合成繊維からなる。
【００３１】
本実施例におけるスパッツ３０は、爪先付近の周縁部が糸によりアッパー１０を構成する甲材１１に縫着されており、アッパー１０と分離できないようになっている。スパッツ３０の爪先付近の周縁部を除く他の部分は、甲材１１に縫着されず、ベルト３４及び面ファスナー３５により、甲材１１に対して着脱自在となっている。
【００３２】
スパッツ３０が上記のように装着されることにより、使用者は、ベルト３４及び面ファスナー３５を取り外し、スパッツ３０を垂れ下げて、履物を足に装着できるので、スパッツ３０が設けられていても、履物の脱着が容易である。垂れ下げられたスパッツ３０は、その後、面ファスナー３５を甲材１１に取り付けられている面ファスナー３５と係合させ、さらに、ベルト３４を締めることにより、簡単に使用状態とすることができる。
【００３３】
なお、スパッツ３０の形状・大きさは、甲材１１を広範囲で覆うことのできる形状・大きさとすることが好ましい。また、スパッツ３０は、甲材１１に対して、着脱可能に構成することもできる。
【００３４】
図７は、スパッツ３０を取り除いた状態の履物を示す斜視図である。この図に示したように、履物自体は、ソール２０及びアッパー１０を有して構成されるものであるが、本実施例においては、アッパー１０に積層部材１２が配設されていない。
【００３５】
すなわち、本実施例の履物によれば、上記実施例１のように、アッパー１０が積層部材１２を備えていなくても、甲材１１を覆うスパッツ３０内に、積層部材３３が設けられているため、チェーンソーのガイドバー周囲を走行するチェーンが誤ってスパッツ３０に接触してその表面材３１を切り裂いても、該積層部材３３によりチェーンの回転エネルギーを吸収して、チェーンが甲材１１ないしは足に接触する前に、チェーンの走行を強制的に停止させることができる。
【００３６】
また、積層部材３３がスパッツ３０内に設けられているため、上記実施例２の場合よりも、積層部材３３を構成する布の面積及び繊維量を増大させることができる。従って、より確実にチェーンの走行を強制的に停止させることができる。
【実施例４】
【００３７】
図９は、本発明の履物のさらに他の実施例を示す斜視図である。本実施例に係る履物は、この図に示したように、地下足袋として構成されたものであり、上記実施例３と同様に、アッパー１０の表面を形成する甲材１１を覆うスパッツ３０を有して構成される。
【００３８】
このスパッツ３０も、上記実施例３と同様に、その内部に、引張強度が２０ｃＮ／ｄｔｅｘ以上を有する合成繊維からなる編み物を複数枚重ね合わせてなる積層部材が設けられている。従って、本実施例の履物によっても、チェーンが甲材１１ないしは足に接触する前に、チェーンの走行を強制的に停止させることができる。
【図面の簡単な説明】
【００３９】
【図１】本発明の伐採作業用履物の一実施例を示す図であり、（ａ）は斜視図、（ｂ）は（ａ）のＡ−Ａ部断面図である。
【図２】図１（ｂ）のＢ部拡大断面図である。
【図３】本発明の伐採作業用履物の他の実施例を示す斜視図である。
【図４】図３のＣ−Ｃ部断面図である。
【図５】図４のＤ部拡大断面図である。
【図６】本発明の伐採作業用履物のさらに他の実施例を示す斜視図である。
【図７】スパッツを取り除いた状態の伐採作業用履物を示す斜視図である。
【図８】スパッツの部分断面図である。
【図９】本発明の伐採作業用履物のさらに他の実施例を示す斜視図である。
【符号の説明】
【００４０】
１０  アッパー
１１  甲材
１２，３３  積層部材
１２ａ，３３ａ  第１の層
１２ｂ，３３ｂ  第２の層
１２ｃ，３３ｃ  第３の層
１３  裏材
１４  先芯
１５  月型芯
２０  ソール
２１  表底
２２  中底
２３  中物
２４  シャンク
３０  スパッツ
３１  表面材
３２  内面材
３４  ベルト
３５  面ファスナー
【図１】
2004305703.tif 000003
【図２】
2004305703.tif 000004
【図３】
2004305703.tif 000005
【図４】
2004305703.tif 000006
【図５】
2004305703.tif 000007
【図６】
2004305703.tif 000008
【図７】
2004305703.tif 000009
【図８】
2004305703.tif 000010
【図９】
2004305703.tif 000011